(57)【要約】【課題】  外引出しの引き出しが容易であると共に、外引出しの収容時に衝撃音が発生する虞の無い引出し構造体を提供する。【解決手段】  引出し構造体は、所定方向（図の左方向）及びその反対方向に移動自在の外引出し３０と、外引出し３０の内部に設置され、所定方向及び反対方向に移動自在の内引出し４０とを備えている。外引出し３０の収容側にはオス型嵌合部材１０が設置されている。更に、内引出し４０の収容側には、オス型嵌合部材１０に対して所定方向及びその反対方向において徐々に嵌合、脱出を可能とするメス型嵌合部材２０が設置されている。（１）で示す収容状態においては、これらが嵌合状態となるため、外引出し３０及び内引出し４０は連動して移動する。そして、（２）で示す所定量を超えて外引出し３０を引き出すと、これらの嵌合状態が所定方向に解除される。従って、スムースな嵌合部材の解除となり、外引出し３０の引出しが容易となる。【選択図】  図６
2011092227.tif 000002
【特許請求の範囲】
【請求項１】
引出し構造体であって、
引き出し方向となる所定方向及びその反対方向に移動自在の外引出しと、
前記外引出しの内部に設置され、前記所定方向及び前記反対方向に移動自在の内引出しと、
前記外引出し又は前記内引出しに取り付けられたオス型嵌合部材と、
前記内引出し又は前記外引出しに取り付けられ、前記オス型嵌合部材に対して前記所定方向及び前記反対方向において徐々に嵌合、脱出を可能とするメス型嵌合部材とを備え、
前記外引出し及び前記内引出しが収容された状態において、前記オス型嵌合部材及び前記メス型嵌合部材は嵌合し、前記外引出しが所定量引き出されるまでは前記オス型嵌合部材及び前記メス型嵌合部材は嵌合した状態で前記外引出し及び前記内引出しは連動して移動し、前記外引出しが前記所定量を超えて引き出されると、前記オス型嵌合部材及び前記メス型嵌合部材の嵌合状態が解除される、引出し構造体。
【請求項２】
前記オス型嵌合部材及び前記メス型嵌合部材の嵌合状態が解除された時、前記内引出しは前記反対方向に移動可能となる、請求項１記載の引出し構造体。
【請求項３】
前記オス型嵌合部材及び前記メス型嵌合部材は、前記外引出し及び前記内引出しの各々において収容側の位置で取り付けられる、請求項１又は請求項２記載の引出し構造体。
【請求項４】
前記オス型嵌合部材及び前記メス型嵌合部材は、前記所定方向に対して直交する水平方向において２組設けられる、請求項１から請求項３のいずれかに記載の引出し構造体。
【発明の詳細な説明】
【技術分野】
【０００１】
この発明は引出し構造体に関し、特に、外引出しと外引出しの内部に設置された内引出しとを備える引出し構造体に関するものである。
【背景技術】
【０００２】
外引出しと、外引出しの内部に設置された内引出しとを備える引出し構造体は種々提案されている。その中で、内引出しの収納物を一度の引出し動作で取り出すために、外引出しを引き出すと内引出しが連動して引き出される引出し構造体（例えば、特許文献１）について説明する。
【０００３】
図１１は特許文献１で開示されたキッチンキャビネットを組み込み設置したシステムキッチンの斜視図であって、外引出しを引き出した状態を示すものであり、図１２は図１１で示したＸＩＩ−ＸＩＩラインの拡大断面図である。
【０００４】
これらの図を参照して、キッチンキャビネット７は、システムキッチン５０のワークトップ５１の下に組み込み設置されている。キッチンキャビネット７は、外引出し３０及び外引出し３０の内部に設置された内引出し４０を有する引出し構造体６０と、引出し構造体６０の下部に設置された蹴込み引出し６１とを備えている。
【０００５】
外引出し３０は、前面側（図１２の左側）の板状の前扉３１と、底板３２と、左右の側板３３ａ、３３ｂ（図示せず）と、背板３４とによって、上面側を開口とする箱状に形成されている。尚、外引出し３０は、図示しない受けレールと、側板３３ａ、３３ｂ（図示せず）の下部に設置されたインナーレールとによって引き出し自在に構成されている。
【０００６】
内引出し４０は、前板４１と、底板４２と、左右の側板４３ａ、４３ｂ（図示せず）と、背板４４とによって、上面側を開口とする箱状に形成されている。尚、内引出し４０においても、図示しない受けレールと、側板４３ａ、４３ｂ（図示せず）の下部に設置されたインナーレールとによって、外引出し３０と同一方向に引き出し自在に構成されている。
【０００７】
又、外引出し３０の背板３４の収容側（図１２の右側）の面には、マグネット６５が設置されている。更に、内引出し４０の背板４４の収容側の面には、マグネット６５の水平位置に対応するように下方に延びる磁性体の金属板よりなるマグネット受け６６が、マグネット６５より収容側になるように設置されている。従って、外引出し３０及び内引出し４０が収容状態の時、マグネット６５とマグネット受け６６とは吸着状態となる。そのため、収容状態から外引出し３０を引き出すと内引出し４０も連動して引き出されるので、外引出し３０を引き出すことで内引出し４０の収納物を取り出すことができる。
【０００８】
図１３は図１２の状態から更に外引出しを引き出した状態を示す図であって、図１２に対応するものである。
【０００９】
図を参照して、外引出し３０の引き出しストローク（引き出し行程）の長さは、内引出し４０の引き出しストロークの長さより長くなるように構成されている。従って、図１２の状態から外引出し３０を引き出す力を加え続けることによって、図で示すようにマグネット６５とマグネット受け６６との吸着状態が解除され、外引出し３０のみを更に引き出すことができる。そのため、外引出し３０の収納物を容易に取り出すことができる。
【００１０】
この時、内引出し４０のみを収容側に押し戻すと、外引出し３０のみを引き出した状態となり、外引出し３０の収容物を更に容易に取り出すことができる。
又、外引出し３０及び内引出し４０を収容する場合においては、まず外引出し３０を収容側へと移動させると、マグネット６５と内引出し４０のマグネット受け６６とが吸着状態となる。そして、そのまま外引出し３０を収容側へと移動させると、内引出し４０も連動して収容側へと移動し、これらが収容状態となる。
【先行技術文献】
【特許文献】
【００１１】
【特許文献１】特開２００６−２３０６７６号公報
【発明の概要】
【発明が解決しようとする課題】
【００１２】
上記のような従来の引出し構造体では、外引出しと内引出しとは、マグネット及びマグネット受けの吸着によって連動して引き出される構造になっていたため、これらの吸着を解除する際には、その吸着状態が瞬間的に解除されてしまっていた。そのため、使用者にとっては所定量を超えると急に外引出しが軽い力で引き出されるような状態となるので、引き出し難く、使い勝手の悪い外引出しとなっていた。
【００１３】
又、マグネットとマグネット受けとの吸着状態が解除した状態から、再度吸着状態へと移行する際、即ち、外引出し及び内引出しを収容する際においては、吸着時におけるマグネットとマグネット受けとの吸着音が衝撃音となり、使用者にとって不快なものとなっていた。
【００１４】
そして、このような問題を解決すべく、例えばマグネットとマグネット受けとの間にフェルト等を配置させ、これらの衝撃音を緩和させる方法がある。しかしながら、フェルトによってマグネットとマグネット受けとの吸着力が低下することで、外引出しと内引出しとが連動して引き出される際に不用意にこれらの吸着状態が解除されてしまう虞があった。そして、フェルトを介しても外引出しと内引出しとを連動して引き出せるように、マグネットとマグネット受けとの吸着力を大きく設定すると、上述した衝撃音が増加することになってしまう。
【００１５】
この発明は、上記のような課題を解決するためになされたもので、外引出しの引き出しが容易であると共に、外引出しの収容時に衝撃音が発生する虞の無い引出し構造体を提供することを目的とする。
【課題を解決するための手段】
【００１６】
上記の目的を達成するために、請求項１記載の発明は、引出し構造体であって、引き出し方向となる所定方向及びその反対方向に移動自在の外引出しと、外引出しの内部に設置され、所定方向及び反対方向に移動自在の内引出しと、外引出し又は内引出しに取り付けられたオス型嵌合部材と、内引出し又は外引出しに取り付けられ、オス型嵌合部材に対して所定方向及び反対方向において徐々に嵌合、脱出を可能とするメス型嵌合部材とを備え、外引出し及び内引出しが収容された状態において、オス型嵌合部材及びメス型嵌合部材は嵌合し、外引出しが所定量引き出されるまではオス型嵌合部材及びメス型嵌合部材は嵌合した状態で外引出し及び内引出しは連動して移動し、外引出しが所定量を超えて引き出されると、オス型嵌合部材及びメス型嵌合部材の嵌合状態が解除されるものである。
【００１７】
このように構成すると、外引出しが所定量を超えて引き出されると、オス型嵌合部材及びメス型嵌合部材の嵌合が所定方向において徐々に解除される。又、オス型嵌合部材及びメス型嵌合部材の嵌合が解除した状態から、外引出しを収容状態に移動させると、オス型嵌合部材及びメス型嵌合部材が反対方向において徐々に嵌合する。
【００１８】
請求項２記載の発明は、請求項１記載の発明の構成において、オス型嵌合部材及びメス型嵌合部材の嵌合状態が解除された時、内引出しは反対方向に移動可能となるものである。
【００１９】
このように構成すると、内引出しを収容状態に移動できる。
【００２０】
請求項３記載の発明は、請求項１又は請求項２記載の発明の構成において、オス型嵌合部材及びメス型嵌合部材は、外引出し及び内引出しの各々において収容側の位置で取り付けられるものである。
【００２１】
このように構成すると、外引出し及び内引出しを引き出した状態において、オス型嵌合部材及びメス型嵌合部材が目立たない。
【００２２】
請求項４記載の発明は、請求項１から請求項３のいずれかに記載の発明の構成において、オス型嵌合部材及びメス型嵌合部材は、所定方向に対して直交する水平方向において２組設けられるものである。
【００２３】
このように構成すると、嵌合、脱出動作が安定する。
【発明の効果】
【００２４】
以上説明したように、請求項１記載の発明は、外引出しが所定量を超えて引き出されると、オス型嵌合部材及びメス型嵌合部材の嵌合が所定方向において徐々に解除されるため、スムースな嵌合部材の解除となり、外引出しの引き出しが容易となる。又、オス型嵌合部材及びメス型嵌合部材の嵌合が解除した状態から、外引出しを収容状態に移動させると、オス型嵌合部材及びメス型嵌合部材が反対方向において徐々に嵌合するため、スムースな嵌合部材の嵌合となり、嵌合時に衝撃音が発生する虞が無い。
【００２５】
請求項２記載の発明は、請求項１記載の発明の効果に加えて、内引出しを収容状態に移動できるため、外引出しのみを引き出した状態になり、使い勝手が向上する。
【００２６】
請求項３記載の発明は、請求項１又は請求項２記載の発明の効果に加えて、外引出し及び内引出しを引き出した状態において、オス型嵌合部材及びメス型嵌合部材が目立たないため、スマートな引出し構造体となる。
【００２７】
請求項４記載の発明は、請求項１から請求項３のいずれかに記載の発明の効果に加えて、嵌合、脱出動作が安定するため、外引出し及び内引出しの連動動作及び分離動作の信頼性が向上する。
【図面の簡単な説明】
【００２８】
【図１】この発明の第１の実施の形態による引出し構造体を示す断面図であって、従来例の図１２に対応するものである。
【図２】図１で示したＩＩ−ＩＩラインの断面図である。
【図３】図１で示したＩＩＩ−ＩＩＩラインの断面図である。
【図４】図１で示したＸ部分の拡大図である。
【図５】図４で示したＶ−Ｖラインの断面図である。
【図６】図１で示した引出し構造体の引き出し動作の工程を示す断面図である。
【図７】図６で示した引き出し動作に対応したオス型嵌合部材及びメス型嵌合部材の動作を示す図である。
【図８】図１で示した引出し構造体の収容動作の工程を示す断面図である。
【図９】図８で示した収容動作に対応したオス型嵌合部材及びメス型嵌合部材の動作を示す図である。
【図１０】この発明の第２の実施の形態の引出し構造体のオス型嵌合部材及びメス型嵌合部材を示す図であって、第１の実施の形態の図５に対応するものである。
【図１１】従来のキッチンキャビネットを組み込み設置したシステムキッチンの斜視図であって、外引出しを引き出した状態を示すものである。
【図１２】図１１で示したＸＩＩ−ＸＩＩラインの拡大断面図である。
【図１３】図１２の状態から更に外引出しを引き出した状態を示す図であって、図１２に対応するものである。
【発明を実施するための形態】
【００２９】
図１はこの発明の第１の実施の形態による引出し構造体を示す断面図であって、従来例の図１２に対応するものであり、図２は図１で示したＩＩ−ＩＩラインの断面図であり、図３は図１で示したＩＩＩ−ＩＩＩラインの断面図である。
【００３０】
これらの図を参照して、引出し構造体５は、ワークトップ５１と、ワークトップ５１から下方に垂直に延びる縦仕切板６２ａ、６２ｂと、背板６４と、中仕切板６３とによって、その前面（図１の左側）が開放された収容スペースを形成している。そして、この収容スペース内に、外引出し３０と、外引出し３０の内部に設置された内引出し４０とを備えている。又、内引出し４０は、合成樹脂よりなるオス型嵌合部材１０ａ、１０ｂを備えている。更に、外引出し３０は、オス型嵌合部材１０ａ、１０ｂの各々に対して後述する所定方向及びその反対方向において嵌合、脱出が可能である、合成樹脂よりなるメス型嵌合部材２０ａ、２０ｂを備えている。そして、外引出し３０と内引出し４０とは、オス型嵌合部材１０ａ、１０ｂの各々とメス型嵌合部材２０ａ、２０ｂの各々との嵌合によって連動して移動することができるように構成されている。オス型嵌合部材及びメス型嵌合部材の詳細な構造及び動作については後述する。
【００３１】
外引出し３０は、その前面に位置する矩形状の前扉３１と、前扉３１から収容側（図１の右側）に延びる矩形状の底板３２及び側板３３ａ、３３ｂと、底板３２及び側板３３ａ、３３ｂの収容側端部に接続された矩形状の背板３４とによって、上面側を開口とする箱状に形成されている。そして、前扉３１と背板３４の上端部とを連結する管状のギャラリーバー３５ａ、３５ｂを備えている。尚、外引出し３０は、図示しないレールによって引き出し方向となる所定方向（図１の左方向）及びその反対方向（図１の右方向）に移動自在に構成されている。
【００３２】
内引出し４０は、その前面に位置する矩形状の前板４１と、前板４１から収容側に延びる矩形状の底板４２及び側板４３ａ、４３ｂと、底板４２及び側板４３ａ、４３ｂの収容側端部に接続された矩形状の背板４４とによって、上面側を開口とする箱状に形成されている。尚、内引出し４０は、図示しないレールによって、上述した所定方向及びその反対方向に移動自在に構成されている。
【００３３】
又、外引出し３０の背板３４の収容側の面には、その幅方向（所定方向に対して直交する水平方向）の両端から収容側に延びる矩形状の固定板３７ａ、３７ｂが設置されている。そして、固定板３７ａ、３７ｂの各々の上面には、上述したメス型嵌合部材２０ａ、２０ｂの各々が設置されている。
【００３４】
又、内引出し４０の背板４４の収容側の面には、その幅方向の両端から下方に向かって延びる矩形状の固定板４７ａ、４７ｂが外引出し３０の背板３４より収容側に位置するように設置されている。そして、固定板４７ａ、４７ｂの各々の前面の下端には、オス型嵌合部材１０ａ、１０ｂがメス型嵌合部材２０ａ、２０ｂに対応する位置に設置されている。
【００３５】
このように、オス型嵌合部材１０ａ、１０ｂ及びメス型嵌合部材２０ａ、２０ｂは、外引出し３０及び内引出し４０の各々において収容側の位置で取り付けられている。従って、外引出し３０及び内引出し４０を引き出した状態において、使用者からオス型嵌合部材１０ａ、１０ｂ及びメス型嵌合部材２０ａ、２０ｂが目立たない。そのため、スマートな引出し構造体５となる。
【００３６】
次に、オス型嵌合部材及びメス型嵌合部材の詳細な構造について説明する。
【００３７】
図４は図１で示したＸ部分の拡大図であり、図５は図４で示したＶ−Ｖラインの断面図である。
【００３８】
これらの図を参照して、オス型嵌合部材１０ａは、固定板４７ａの前面に設置された板状の固定部１３と、固定部１３の中央から所定方向に向かって延びる胴部１２と、胴部１２の所定方向側の端部に形成された矢状の係合部１１とから構成されている。尚、固定部１３の幅方向の両端は、ネジ１９によって固定板４７ａに固定されている。
【００３９】
メス型嵌合部材２０ａは、固定板３７ａの上面に設置された板状の固定部２３と、固定部２３の中央から上方に向かって延びる胴部２２と、胴部２２の上端から収容側に向かって延びる平面視Ｕ字状のローラー胴部２１と、ローラー胴部２１の収容側端部の各々に垂直方向（図４における上下方向）を軸として回動自在に形成されたローラー２５ａ、２５ｂとから構成されている。尚、固定部２３の幅方向の両端部には開口２４が形成されており、固定部２３の両端は、ネジ２９によって開口２４を介して固定板３７ａに固定されている。オス型嵌合部材１０ａ及びメス型嵌合部材２０ａはこのように構成されており、図３で示したオス型嵌合部材１０ｂ及びメス型嵌合部材２０ｂにおいても同様の構成となっている。
【００４０】
そして、図で示す嵌合状態においては、オス型嵌合部材１０ａの係合部１１がメス型嵌合部材２０ａのローラー胴部２１内のスペース２７に位置している。そして、ローラー２５ａ、２５ｂに挟まれるようにオス型嵌合部材１０ａの胴部１２が位置している。即ち、所定方向及びその反対方向に対して確実に嵌合している。そして、このような嵌合状態が解除された時のオス型嵌合部材１０ａの位置を二点鎖線で示している。このようなオス型嵌合部材とメス型嵌合部材との嵌合、脱出の動作については後述する。
【００４１】
次に、外引出し及び内引出しの収納状態からの引き出し動作及びそれに伴うオス型嵌合部材及びメス型嵌合部材の動作について説明する。
【００４２】
図６は図１で示した引出し構造体の引き出し動作の工程を示す断面図であり、図７は図６で示した引き出し動作に対応したオス型嵌合部材及びメス型嵌合部材の動作を示す図である。
【００４３】
まず、図６の（１）及び図７の（１）を参照して、外引出し３０及び内引出し４０が収容された状態の時、オス型嵌合部材１０とメス型嵌合部材２０とは嵌合状態となっている。オス形嵌合部材１０とメス型嵌合部材２０との嵌合力は、外引出し３０の引き出し移動に伴って内引出し４０が連動して移動しても、これらの嵌合が解除されないような大きさに設定されている。従って、矢印で示すように外引出し３０を所定方向に引き出すと、同じく矢印で示すように内引出し４０も連動して所定方向に移動する。そして、外引出し３０を引き出し続けて、所定量である引き出し行程の長さＬ１まで引き出すと、図６の（２）で示す状態となる。
【００４４】
次に、図６の（２）及び図７の（２）を参照して、内引出し４０の引き出し行程の長さはＬ１となるように設定されているため、図６の（２）で示す位置を超えて引き出すことが不可能である。しかしながら、外引出し３０は内引出し４０より引き出し行程が後述する長さＬ２分だけ長くなるように設定されているため、この位置を超えて引き出すことが可能である。
【００４５】
そして、図６の（２）で示す状態から更に外引出し３０を矢印で示すように所定方向に引き出すと、図７の（２）で示すように、オス型嵌合部材１０とメス型嵌合部材２０との嵌合力以上の力がメス型嵌合部材２０に加わり、これらの嵌合状態が解除されようとする。具体的には、メス型嵌合部材２０は合成樹脂によって形成されているため、オス型嵌合部材１０の係合部１１のローラー２５ａ、２５ｂの間への移動に伴って、これらの間を拡げるようにローラー胴部２１が矢印で示すように変形する。その際、上述した通りローラー２５ａ、２５ｂは垂直方向（図７の紙面に直交する方向）に回動自在に形成されているため、ローラー２５ａ、２５ｂは収容側の方向に向かって回転する。そのため、係合部１１とローラー２５ａ、２５ｂとの間には、主に転がり抵抗のみが作用するので、係合部１１のローラー胴部２１のスペース２７からの脱出が容易となる。
【００４６】
このように、オス型嵌合部材１０とメス型嵌合部材２０とは、徐々に嵌合が解除されるため、従来のマグネット及びマグネット受けのように吸着状態が瞬間的に解除される虞が無い。
【００４７】
そして、この状態から外引出し３０を所定方向に引き出し続けると、オス型嵌合部材１０とメス型嵌合部材２０との嵌合状態が所定方向において完全に解除され、図６の（３）で示す状態となる。
【００４８】
次に、図６の（３）及び図７の（３）を参照して、オス型嵌合部材１０とメス型嵌合部材２０との嵌合状態が解除されると、ローラー胴部２１が矢印で示すように通常の位置となると共に、ローラー２５ａ、２５ｂが通常の位置に移動する。そして、このようにして外引出し３０は長さＬ２分だけ内引出し４０より所定方向に引き出すことができるため、外引出し３０の収納物を取り出すことができる。
【００４９】
更に、上述した通り、内引出し４０は所定方向及びその反対方向に移動自在であるため、二点鎖線で示すように内引出し４０を収容側へ移動させることができる。すると、外引出し３０のみを引き出した状態となり、外引出し３０の収容物の取り出しが更に容易となり、使い勝手が向上する。
【００５０】
上述した通り、外引出し３０が所定量である長さＬ１を超えて引き出されると、オス型嵌合部材１０及びメス型嵌合部材２０の嵌合が所定方向において徐々に解除される。従って、スムーズな嵌合部材の解除となるため、外引出し３０の引き出しが容易となる。
【００５１】
次に、外引出し及び内引出しの引き出し状態からの収容動作及びそれに伴うオス型嵌合部材及びメス型嵌合部材の動作について説明する。
【００５２】
図８は図１で示した引出し構造体の収容動作の工程を示す断面図であり、図９は図８で示した収容動作に対応したオス型嵌合部材及びメス型嵌合部材の動作を示す図である。
【００５３】
まず、図８の（１）及び図９の（１）を参照して、外引出し３０のみが引き出された状態（図６の（３）に対応した状態）から、外引出し３０を矢印で示すように収容側へ移動させる。この時、オス型嵌合部材１０とメス型嵌合部材２０とは離れており、嵌合状態が解除されているため、外引出し３０のみが移動する。
【００５４】
次に、図８の（２）及び図９の（２）を参照して、外引出し３０を収容側に移動させ続けると、オス型嵌合部材１０とメス型嵌合部材２０とが接触する。すると、オス型嵌合部材１０の係合部１１がメス型嵌合部材２０のローラー２５ａ、２５ｂの間を挿通しようとする。すると、ローラー２５ａ、２５ｂの間を拡げるようにローラー胴部２１が矢印で示すように変形する。その際、ローラー２５ａ、２５ｂは、所定方向に向かって回転するため、係合部１１とローラー２５ａ、２５ｂとの間には、主に転がり抵抗のみが作用するので、係合部１１のローラー２５ａ、２５ｂの間の挿通が容易となる。そして、この状態から更に外引出し３０を収容側に移動させ続けると、オス型嵌合部材１０とメス型嵌合部材２０とが接触しているため、内引出し４０も連動して移動し、図８の（３）で示す状態となる。
【００５５】
このように、オス型嵌合部材１０とメス型嵌合部材２０とは徐々に嵌合するため、従来のマグネット及びマグネット受けのように吸着時に衝撃音が発生する虞が無い。
【００５６】
次に、図８の（３）及び図９の（３）を参照して、外引出し３０と内引出し４０とが矢印で示すように連動して移動すると、これらが収容状態となる。この時、図９の（３）で示すように、オス型嵌合部材１０とメス型嵌合部材２０とが確実に嵌合状態になる。そして、オス型嵌合部材１０の係合部１１の挿通により拡がっていたローラー２５ａ、２５ｂは、ローラー胴部２１の変形によってオス型嵌合部材１０の胴部１２を挟むような状態となる。即ち、図６の（１）の状態に戻る。
【００５７】
上述した通り、図８の（１）で示したオス型嵌合部材１０及びメス型嵌合部材２０の嵌合が解除した状態から、外引出し３０を収容状態となるように移動させると、オス型嵌合部材１０とメス型嵌合部材２０とが所定方向の反対方向において徐々に嵌合する。従って、これらがスムースな嵌合となるため、嵌合時に衝撃音が発生する虞が無い。
【００５８】
又、上述した通り、オス型嵌合部材１０及びメス型嵌合部材２０は、幅方向において２組設けられているため、オス型嵌合部材１０及びメス型嵌合部材２０による嵌合、脱出動作が安定する。従って、外引出し３０及び内引出し４０の連動動作及び分離動作の信頼性が向上する。
【００５９】
図１０はこの発明の第２の実施の形態の引出し構造体のオス型嵌合部材及びメス型嵌合部材を示す図であって、第１の実施の形態の図５に対応するものであり、（１）はオス型嵌合部材及びメス型嵌合部材の嵌合状態を示す図であって、（２）はオス型嵌合部材及びメス型嵌合部材の嵌合状態が解除した状態を示す図である。
【００６０】
尚、説明に当たっては、基本的には第１の実施の形態によるものと同一であるため、その相違点を中心に説明する。
【００６１】
まず（１）を参照して、この実施の形態にあっては、オス型嵌合部材及びメス型嵌合部材の形状が大きく異なっている。即ち、この実施の形態におけるオス型嵌合部材７０は、合成樹脂によって形成されており、固定板４７ａの面上に設置される板状の固定部７３と、固定部７３の中央から所定方向に向かって延びると共に、先太りの棒状の胴部７２とから構成されている。
【００６２】
メス型嵌合部材８０は、合成樹脂によって平面視Ｕ字状にオス型嵌合部材７０の胴部７２の平面形状に対応するように形成されており、その開放部分がオス型嵌合部材７０側となるように設置されている。従って、オス型嵌合部材７０に対して所定方向及びその反対方向において嵌合、脱出が可能である。尚、メス型嵌合部材８０は、その底部がネジ２９によって外引出しの背板３４に直接固定されている。
【００６３】
そして、（１）で示す嵌合状態におけるオス型嵌合部材７０とメス型嵌合部材８０との嵌合力は、外引出しと内引出しとが連動して移動する際にオス型嵌合部材７０とメス型嵌合部材８０との嵌合が解除しない大きさとなるように設定されている。従って、外引出しと内引出しとが連動して移動することができる。
【００６４】
次に（２）を参照して、オス型嵌合部材７０がメス型嵌合部材８０から脱出した状態、即ち、これらの嵌合状態が解除された状態を示している。オス型嵌合部材７０とメス型嵌合部材８０との嵌合状態及び嵌合が解除された状態におけるこれらの動作については、図７及び図９で示した第１の実施の形態におけるオス型嵌合部材及びメス型嵌合部材において、ローラーの動作を除いては略同一である。従って、この実施の形態による引出し構造体にあっては、第１の実施の形態と同様の効果を発揮する。
【００６５】
尚、上記の各実施の形態では、引出し構造体はキッチンキャビネットを構成しているが、キッチンキャビネットに限らず、例えばタンス等、他の目的に使用されるものであっても同様に適用できるのは言うまでもない。
【００６６】
又、上記の各実施の形態では、オス型嵌合部材及びメス型嵌合部材は合成樹脂によって特定形状に形成されているが、メス型嵌合部材がオス型嵌合部材に対して所定方向及びその反対方向において徐々に嵌合、脱出が行なわれる構造であれば、これらは他の素材によって他の形状に形成されていても良い。
【００６７】
更に、上記の各実施の形態では、外引出しにメス型嵌合部材が設置されると共に、内引出しにオス型嵌合部材が設置されているが、オス型嵌合部材とメス型嵌合部材とを入れ替えて設置しても良い。
【００６８】
更に、上記の各実施の形態では、外引出し及び内引出しは特定形状に形成されているが、外引出しは引き出し方向となる所定方向及びその反対方向に移動自在であれば、他の形状であっても良く、内引出しは外引出しの内部に設置され、所定方向及びその反対方向に移動自在であれば、他の形状であっても良い。
【００６９】
更に、上記の各実施の形態では、オス型嵌合部材及びメス型嵌合部材の嵌合状態が解除された時、内引出しが所定方向の反対方向に移動可能となるように構成されているが、嵌合状態が解除された時、内引出し単独では所定方向の反対方向に移動できないように構成されていても良い。
【００７０】
更に、上記の各実施の形態では、オス型嵌合部材及びメス型嵌合部材は、内引出し及び外引出しの各々の収容側の位置に設けられているが、例えば、これらを内引出しの前板の全面及び外引出しの前扉の背面の各々に設ける等、他の位置に設けられていても良い。
【００７１】
更に、上記の各実施の形態では、オス型嵌合部材及びメス型嵌合部材は、所定方向に対して直交する水平方向において２組設けられているが、これらは垂直方向であっても良く、又、オス型嵌合部材及びメス型嵌合部材は少なくとも１組設けられていれば良い。
【符号の説明】
【００７２】
５…引出し構造体
１０、７０…オス型嵌合部材
２０、８０…メス型嵌合部材
３０…外引出し
４０…内引出し
尚、各図中同一符号は同一又は相当部分を示す。
【図１】
2011092227.tif 000003
【図２】
2011092227.tif 000004
【図３】
2011092227.tif 000005
【図４】
2011092227.tif 000006
【図５】
2011092227.tif 000007
【図６】
2011092227.tif 000008
【図７】
2011092227.tif 000009
【図８】
2011092227.tif 000010
【図９】
2011092227.tif 000011
【図１０】
2011092227.tif 000012
【図１１】
2011092227.tif 000013
【図１２】
2011092227.tif 000014
【図１３】
2011092227.tif 000015